(57)【要約】      （修正有）【課題】良好なサーボ特性の確保及び感度の向上を図る。【解決手段】対物レンズ駆動装置８に、固定ブロック９と、対物レンズ１２を保持するレンズホルダー１１を有する可動ブロック１０と、固定ブロックと可動ブロックを連結する複数の支持バネ１５、１５、・・・と、可動ブロックをフォーカス方向へ動作させるフォーカス用磁気回路１９と、可動ブロックをトラッキング方向へ動作させる複数のトラッキング用磁気回路２０、２０とを設け、複数のトラッキング用磁気回路をトラッキング方向に離隔して同数設け、複数のトラッキング用磁気回路を対物レンズを挟んでレーザー光の光路と反対側に配置し、可動ブロックの重心と複数のトラッキング用磁気回路とをタンジェンシャル方向に離隔して位置させ、複数のトラッキング用磁気回路に発生する推力の方向を、トラッキング用磁気回路に発生する推力の発生点と可動ブロックの重心とを結ぶ方向とした。【選択図】図２
2009076156.tif 000002
【特許請求の範囲】
【請求項１】
ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対して光源から出射され立上ミラーで反射されたレーザー光を対物レンズを介して照射する光ピックアップであって、
上記対物レンズ駆動装置は、
上記移動ベースに固定された固定ブロックと、
上記対物レンズと該対物レンズを保持するレンズホルダーとを有すると共に上記固定ブロックに対して上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させフォーカス用コイルとフォーカス用マグネットを有するフォーカス用磁気回路と、
上記可動ブロックを上記トラッキング方向へ動作させトラッキング用コイルとトラッキング用マグネットをそれぞれ有する複数のトラッキング用磁気回路とを備え、
上記複数のトラッキング用磁気回路を上記トラッキング方向に離隔して同数設け、
上記複数のトラッキング用磁気回路を、上記対物レンズを挟んで上記立上ミラーに入射される上記レーザー光の光路と反対側に配置し、
上記可動ブロックの重心と上記複数のトラッキング用磁気回路とを上記フォーカス方向及び上記トラッキング方向に共に直交する方向であるタンジェンシャル方向に離隔して位置させ、
上記複数のトラッキング用磁気回路にそれぞれ発生する推力の方向を、上記トラッキング用磁気回路にそれぞれ発生する推力の発生点と上記可動ブロックの上記重心とを結ぶ方向とした
ことを特徴とする光ピックアップ。
【請求項２】
上記複数のトラッキング用磁気回路にそれぞれ発生する上記推力の上記タンジェンシャル方向における分力の総和がゼロとなるようにした
ことを特徴とする請求項１に記載の光ピックアップ。
【請求項３】
上記可動ブロックの上記レンズホルダーに上記複数のトラッキング用コイルを取り付けた
ことを特徴とする請求項１に記載の光ピックアップ。
【請求項４】
上記トラッキング用コイルと上記トラッキング用マグネットを対向して位置させ、
上記トラッキング用マグネットを上記トラッキング方向において２極が着磁された２極着磁マグネットとして構成し、
上記トラッキング用コイルの中心に対して上記トラッキング用マグネットの２極の境界線を上記トラッキング方向にシフトさせた
ことを特徴とする請求項１に記載の光ピックアップ。
【請求項５】
上記トラッキング用コイルと上記トラッキング用マグネットを対向して位置させ、
上記トラッキング用マグネットを上記トラッキング方向に２極が着磁された２極着磁マグネットとして構成し、
上記トラッキング用マグネットの一方の極の上記トラッキング方向における長さと他方の極の上記トラッキング方向における長さを異なるようにし、
上記トラッキング用コイルの中心に対して上記トラッキング用マグネットの２極の境界線を上記トラッキング方向にシフトさせた
ことを特徴とする請求項１に記載の光ピックアップ。
【請求項６】
ディスク状記録媒体が装着されるディスクテーブルと該ディスクテーブルに装着される上記ディスク状記録媒体に対して光源から出射され立上ミラーで反射されたレーザー光を対物レンズを介して照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、
上記対物レンズ駆動装置は、
上記移動ベースに固定された固定ブロックと、
上記対物レンズと該対物レンズを保持するレンズホルダーとを有すると共に上記固定ブロックに対して上記ディスク状記録媒体の記録面に離接する方向であるフォーカス方向及び上記ディスク状記録媒体の略半径方向であるトラッキング方向へ動作される可動ブロックと、
上記固定ブロックと上記可動ブロックを連結する複数の支持バネと、
上記可動ブロックを上記フォーカス方向へ動作させフォーカス用コイルとフォーカス用マグネットを有するフォーカス用磁気回路と、
上記可動ブロックを上記トラッキング方向へ動作させトラッキング用コイルとトラッキング用マグネットをそれぞれ有する複数のトラッキング用磁気回路とを備え、
上記複数のトラッキング用磁気回路を上記トラッキング方向に離隔して同数設け、
上記複数のトラッキング用磁気回路を、上記対物レンズを挟んで上記立上ミラーに入射される上記レーザー光の光路と反対側に配置し、
上記可動ブロックの重心と上記複数のトラッキング用磁気回路とを上記フォーカス方向及び上記トラッキング方向に共に直交する方向であるタンジェンシャル方向に離隔して位置させ、
上記複数のトラッキング用磁気回路にそれぞれ発生する推力の方向を、上記トラッキング用磁気回路にそれぞれ発生する推力の発生点と上記可動ブロックの上記重心とを結ぶ方向とした
ことを特徴とするディスクドライブ装置。
【発明の詳細な説明】
【技術分野】
【０００１】
本発明は光ピックアップ及びディスクドライブ装置に関する。詳しくは、トラッキング用磁気回路に発生する推力の方向をこの推力の発生点と可動ブロックの重心とを結ぶ方向として良好なサーボ特性の確保及び感度の向上を図る技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベースに配置された対物レンズ駆動装置とを有している。対物レンズ駆動装置は、固定ブロックと該固定ブロックに金属製のワイヤー等の支持バネを介して支持された可動ブロックとを有している。
【０００４】
光ピックアップにあっては、対物レンズを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
このような光ピックアップの対物レンズ駆動装置にあっては、フォーカス動作時やトラッキング動作時における不要な共振の発生を防止するために、コイルと可動ブロックの重心とが所定の位置関係となるように設定されている。
【０００６】
例えば、トラッキング動作時における不要な共振の発生を防止するために、一対のトラッキング用コイルを備えた対物レンズ駆動装置において、一対のトラッキング用コイルをタンジェンシャル方向において対物レンズより固定ブロック側でトラッキング方向に離隔して配置し（例えば、特許文献１参照）、この一対のトラッキング用コイルの間に可動ブロックの重心が位置されるように設定したものがある。
【０００７】
このように一対のトラッキング用コイルの間に可動ブロックの重心が位置されるように設定することにより、トラッキング動作時においてトラッキング用磁気回路に可動ブロックに対して発生する推力の方向がトラッキング用コイルと可動ブロックの重心とを結ぶ方向（トラッキング方向）に一致されるため、可動ブロックの重心を支点とした回転方向における力の発生による当該回転方向の共振の発生が防止され、トラッキング動作時における不要な共振の発生の防止による良好なサーボ特性が確保される。
【０００８】
【特許文献１】特開２００３−６６０１６号公報
【発明の開示】
【発明が解決しようとする課題】
【０００９】
ところで、上記した従来の光ピックアップにあっては、一対のトラッキング用コイルをタンジェンシャル方向において対物レンズより固定ブロック側に配置した状態で一対のトラッキング用コイルの間に可動ブロックの重心が位置されるようにしているが、対物レンズの重量が大きいため、一対のトラッキング用コイルの間に可動ブロックの重心が位置されるようにするためには、トラッキング用コイルを挟んだ対物レンズの反対側にバランサーを設ける必要があった。
【００１０】
ところが、可動ブロックにバランサーを設けると、可動ブロックの重量が大きくなってしまい、その分、トラッキング動作における感度の低下が生じてしまう。
【００１１】
そこで、本発明光ピックアップは、上記した問題点を克服し、良好なサーボ特性の確保及び感度の向上を図ることを課題とする。
【課題を解決するための手段】
【００１２】
光ピックアップ及びディスクドライブ装置は、上記した課題を解決するために、対物レンズ駆動装置に、移動ベースに固定された固定ブロックと、対物レンズと該対物レンズを保持するレンズホルダーとを有すると共に上記固定ブロックに対して上記ディスク状記録媒体の記録面に離接する方向であるフォーカス方向及び上記ディスク状記録媒体の略半径方向であるトラッキング方向へ動作される可動ブロックと、上記固定ブロックと上記可動ブロックを連結する複数の支持バネと、上記可動ブロックを上記フォーカス方向へ動作させフォーカス用コイルとフォーカス用マグネットを有するフォーカス用磁気回路と、上記可動ブロックを上記トラッキング方向へ動作させトラッキング用コイルとトラッキング用マグネットをそれぞれ有する複数のトラッキング用磁気回路とを設け、上記複数のトラッキング用磁気回路を上記トラッキング方向に離隔して同数設け、上記複数のトラッキング用磁気回路を、上記対物レンズを挟んで上記立上ミラーに入射される上記レーザー光の光路と反対側に配置し、上記可動ブロックの重心と上記複数のトラッキング用磁気回路とを上記フォーカス方向及び上記トラッキング方向に共に直交する方向であるタンジェンシャル方向に離隔して位置させ、上記複数のトラッキング用磁気回路にそれぞれ発生する推力の方向を、上記トラッキング用磁気回路にそれぞれ発生する推力の発生点と上記可動ブロックの上記重心とを結ぶ方向としたものである。
【００１３】
従って、光ピックアップ及びディスクドライブ装置にあっては、トラッキング用磁気回路に発生する可動ブロックに対する推力の方向がトラッキング方向に対して傾斜した方向とされる。
【発明の効果】
【００１４】
本発明光ピックアップは、ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対して光源から出射され立上ミラーで反射されたレーザー光を対物レンズを介して照射する光ピックアップであって、上記対物レンズ駆動装置は、上記移動ベースに固定された固定ブロックと、上記対物レンズと該対物レンズを保持するレンズホルダーとを有すると共に上記固定ブロックに対して上記ディスク状記録媒体の記録面に離接する方向であるフォーカス方向及び上記ディスク状記録媒体の略半径方向であるトラッキング方向へ動作される可動ブロックと、上記固定ブロックと上記可動ブロックを連結する複数の支持バネと、上記可動ブロックを上記フォーカス方向へ動作させフォーカス用コイルとフォーカス用マグネットを有するフォーカス用磁気回路と、上記可動ブロックを上記トラッキング方向へ動作させトラッキング用コイルとトラッキング用マグネットをそれぞれ有する複数のトラッキング用磁気回路とを備え、上記複数のトラッキング用磁気回路を上記トラッキング方向に離隔して同数設け、上記複数のトラッキング用磁気回路を、上記対物レンズを挟んで上記立上ミラーに入射される上記レーザー光の光路と反対側に配置し、上記可動ブロックの重心と上記複数のトラッキング用磁気回路とを上記フォーカス方向及び上記トラッキング方向に共に直交する方向であるタンジェンシャル方向に離隔して位置させ、上記複数のトラッキング用磁気回路にそれぞれ発生する推力の方向を、上記トラッキング用磁気回路にそれぞれ発生する推力の発生点と上記可動ブロックの上記重心とを結ぶ方向としたことを特徴とする。
【００１５】
従って、トラッキング動作における感度の向上を図ることができると共に重心を支点とした回転方向における力に基づく不要な共振の発生の防止による良好なサーボ特性を確保することができる。
【００１６】
請求項２に記載した発明にあっては、上記複数のトラッキング用磁気回路にそれぞれ発生する上記推力の上記タンジェンシャル方向における分力の総和がゼロとなるようにしたので、可動ブロックに対するタンジェンシャル方向における不必要な力の付与が防止される。
【００１７】
請求項３に記載した発明にあっては、上記可動ブロックの上記レンズホルダーに上記複数のトラッキング用コイルを取り付けたので、可動ブロックが軽量となるため、トラッキング動作時における感度の向上を図ることができる。
【００１８】
請求項４に記載した発明にあっては、上記トラッキング用コイルと上記トラッキング用マグネットを対向して位置させ、上記トラッキング用マグネットを上記トラッキング方向において２極が着磁された２極着磁マグネットとして構成し、上記トラッキング用コイルの中心に対して上記トラッキング用マグネットの２極の境界線を上記トラッキング方向にシフトさせたので、簡素な構成により感度の向上及び良好なサーボ特性の確保を図ることができる。
【００１９】
請求項５に記載した発明にあっては、上記トラッキング用コイルと上記トラッキング用マグネットを対向して位置させ、上記トラッキング用マグネットを上記トラッキング方向に２極が着磁された２極着磁マグネットとして構成し、上記トラッキング用マグネットの一方の極の上記トラッキング方向における長さと他方の極の上記トラッキング方向における長さを異なるようにし、上記トラッキング用コイルの中心に対して上記トラッキング用マグネットの２極の境界線を上記トラッキング方向にシフトさせたので、簡素な構成により感度の向上及び良好なサーボ特性の確保を図ることができる。
【００２０】
本発明ディスクドライブ装置は、ディスク状記録媒体が装着されるディスクテーブルと該ディスクテーブルに装着される上記ディスク状記録媒体に対して光源から出射され立上ミラーで反射されたレーザー光を対物レンズを介して照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、上記対物レンズ駆動装置は、上記移動ベースに固定された固定ブロックと、上記対物レンズと該対物レンズを保持するレンズホルダーとを有すると共に上記固定ブロックに対して上記ディスク状記録媒体の記録面に離接する方向であるフォーカス方向及び上記ディスク状記録媒体の略半径方向であるトラッキング方向へ動作される可動ブロックと、上記固定ブロックと上記可動ブロックを連結する複数の支持バネと、上記可動ブロックを上記フォーカス方向へ動作させフォーカス用コイルとフォーカス用マグネットを有するフォーカス用磁気回路と、上記可動ブロックを上記トラッキング方向へ動作させトラッキング用コイルとトラッキング用マグネットをそれぞれ有する複数のトラッキング用磁気回路とを備え、上記複数のトラッキング用磁気回路を上記トラッキング方向に離隔して同数設け、上記複数のトラッキング用磁気回路を、上記対物レンズを挟んで上記立上ミラーに入射される上記レーザー光の光路と反対側に配置し、上記可動ブロックの重心と上記複数のトラッキング用磁気回路とを上記フォーカス方向及び上記トラッキング方向に共に直交する方向であるタンジェンシャル方向に離隔して位置させ、上記複数のトラッキング用磁気回路にそれぞれ発生する推力の方向を、上記トラッキング用磁気回路にそれぞれ発生する推力の発生点と上記可動ブロックの上記重心とを結ぶ方向としたことを特徴とする。
【００２１】
従って、トラッキング動作における感度の向上を図ることができると共に重心を支点とした回転方向における力に基づく不要な共振の発生の防止による良好なサーボ特性を確保することができる。
【発明を実施するための最良の形態】
【００２２】
以下に、本発明光ピックアップ及びディスクドライブ装置の最良の形態を添付図面を参照して説明する。
【００２３】
ディスクドライブ装置１は、外筐２内に所要の各部材及び各機構が配置されて成り（図１参照）、外筐２には図示しないディスク挿入口が形成されている。
【００２４】
外筐２内には図示しないシャーシが配置され、該シャーシに取り付けられたスピンドルモーターのモーター軸にディスクテーブル３が固定されている。
【００２５】
シャーシには、平行なガイド軸４、４が取り付けられると共に図示しない送りモーターによって回転されるリードスクリュー５が支持されている。
【００２６】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２７】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向（ラジアル方向）へ移動される。
【００２８】
対物レンズ駆動装置８は固定ブロック９と該固定ブロック９に対して動作される可動ブロック１０とを有している（図１及び図２参照）。
【００２９】
固定ブロック９と可動ブロック１０はディスク状記録媒体１００の記録トラックの接線方向（タンジェンシャル方向）に離隔して配置されている。
【００３０】
可動ブロック１０はレンズホルダー１１に所要の各部が取り付けられて成る。レンズホルダー１１の上面１１ａには対物レンズ１２が取り付けられている。対物レンズ１２の下方には、該対物レンズ１２に図示しない光源から出射されたレーザー光を立ち上げて入射させる図示しない立上ミラーが配置されている。立上ミラーに入射されるレーザー光の光路Ｒは該立上ミラーの前方に形成され、光路Ｒを経て立上ミラーに入射されたレーザー光は該立上ミラーによって９０°反射されて対物レンズ１２に入射される。
【００３１】
レンズホルダー１１の後面１１ｂにはフォーカス用コイル１３及びトラッキング用コイル１４、１４が取り付けられている。トラッキング用コイル１４、１４はフォーカス用コイル１３を挟んでトラッキング方向（左右方向）における反対側に位置されている。
【００３２】
可動ブロック１０は、重心Ｇが、例えば、対物レンズ１２の中心より後方に位置されている（図２及び図３参照）。
【００３３】
可動ブロック１０は固定ブロック９に、例えば、支持バネ１５、１５、・・・によって連結され該支持バネ１５、１５、・・・によって中空に保持されている。支持バネ１５、１５、・・・は導電性金属材料によって、例えば、ワイヤー状に形成されている。対物レンズ駆動装置８にあっては、図示しない電源回路から支持バネ１５、１５、・・・を介してそれぞれフォーカス用コイル１３及びトラッキング用コイル１４、１４に駆動電流が供給される。
【００３４】
可動ブロック１０と固定ブロック９の間にはヨーク１６が配置され、該ヨーク１６の前面にフォーカス用マグネット１７とトラッキング用マグネット１８、１８が取り付けられている。トラッキング用マグネット１８、１８はフォーカス用マグネット１７を挟んでトラッキング方向における反対側に位置されている。フォーカス用マグネット１７は、例えば、上下に２極着磁され、トラッキング用マグネット１８、１８はそれぞれ左右に２極着磁されている。トラッキング用マグネット１８、１８は、図４に示すように、Ｎ極の左右方向における長さＬとＳ極の左右方向における長さＬとがそれぞれ同じにされている。
【００３５】
フォーカス用マグネット１７は、図２に示すように、フォーカス用コイル１３に対向して位置され、トラッキング用マグネット１８、１８はそれぞれトラッキング用コイル１４、１４に対向して位置されている。
【００３６】
フォーカス用コイル１３と該フォーカス用コイル１３に対向して位置されたフォーカス用マグネット１７と該フォーカス用マグネット１７が取り付けられたヨーク１６とによってフォーカス用磁気回路１９が構成され、トラッキング用コイル１４、１４と該トラッキング用コイル１４、１４に対向して位置されたトラッキング用マグネット１８、１８と該トラッキング用マグネット１８、１８が取り付けられたヨーク１６とによってトラッキング用磁気回路２０が構成される。
【００３７】
フォーカス用磁気回路１９及びトラッキング用磁気回路２０は、対物レンズ１２を挟んで立上ミラーに入射されるレーザー光の光路Ｒと反対側に配置されている。
【００３８】
トラッキング用マグネット１８、１８は、図４に示すように、左右方向における中央がトラッキング用コイル１４、１４の各中心Ｍ、Ｍに対して左右へシフトされ、２極の境界線１８ａ、１８ａがそれぞれトラッキング用コイル１４、１４の中心Ｍ、Ｍに対してトラッキング方向にシフトされている。例えば、左側に位置するトラッキング用マグネット１８は境界線１８ａが、対向するトラッキング用コイル１４の中心Ｍに対して右方へシフトされ、右側に位置するトラッキング用マグネット１８は境界線１８ａが、対向するトラッキング用コイル１４の中心Ｍに対して左方へシフトされている。
【００３９】
このようにトラッキング用マグネット１８、１８の境界線１８ａ、１８ａをそれぞれトラッキング用コイル１４、１４の中心Ｍ、Ｍに対して左右へシフトさせることにより、図４に示すように、トラッキング用コイル１４、１４の外側部１４ａ、１４ａと内側部１４ｂ、１４ｂをそれぞれ磁力線が斜めに横切る状態とされる。従って、可動ブロック１０に対してトラッキング用磁気回路２０、２０に発生する推力Ｆ、Ｆ、・・・の方向が左右方向に対して傾斜した方向とされ、対物レンズ駆動装置８にあっては、図３に示すように、推力Ｆ、Ｆ、・・・の方向が、推力Ｆ、Ｆ、・・・の発生点と可動ブロック１０の重心Ｇとを結ぶ方向となるように設定されている。
【００４０】
このとき一方のトラッキング用磁気回路２０に発生する推力Ｆ、Ｆの方向は重心Ｇに向かう方向とされ、他方のトラッキング用磁気回路２０に発生する推力Ｆ、Ｆの方向は重心Ｇから遠去かる方向とされている。
【００４１】
図示しない電源回路からフォーカス用コイル１３に駆動電流が供給されると、供給された駆動電流の向きとフォーカス用マグネット１７により発生する磁束の方向とに応じた向きの力が発生し、可動ブロック１０がフォーカス方向へ動作されてフォーカス動作が行われる。
【００４２】
一方、図示しない電源回路からトラッキング用コイル１４、１４に駆動電流が供給されると、供給された駆動電流の向きとトラッキング用マグネット１８、１８により発生する磁束の方向とに応じた向きの力が発生し、可動ブロック１０がトラッキング方向へ動作されてトラッキング動作が行われる。
【００４３】
可動ブロック１０がフォーカス方向又はトラッキング方向へ動作されるときには、支持バネ１５、１５、・・・が弾性変形される。
【００４４】
トラッキング動作においては、上記したように、可動ブロック１０に対してトラッキング用磁気回路２０、２０に発生する推力Ｆ、Ｆ、・・・の方向が、推力Ｆ、Ｆ、・・・の発生点と可動ブロック１０の重心Ｇとを結ぶ方向となるように設定されている。従って、トラッキング動作時に、可動ブロック１０の重心Ｇを支点とした回転方向における力が発生せず、当該回転方向の共振の発生が防止される。このとき、図３に示すように、可動ブロック１０は推力Ｆ、Ｆ、・・・のトラッキング方向における分力Ｆａ、Ｆｃ、Ｆａ′、Ｆｃ′によってトラッキング方向へ動作される。推力Ｆ、Ｆ、・・・のタンジェンシャル方向における分力Ｆｂ、ＦｄとＦｂ′、Ｆｄ′とはそれぞれ大きさが同じで向きが反対となるためキャンセルされ、タンジェンシャル方向における分力の総和が０となり、可動ブロック１０に対するタンジェンシャル方向における不必要な力の付与が防止される。
【００４５】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００４６】
この記録動作及び再生動作において、フォーカス用コイル１３に駆動電流が供給されると、上記したように、対物レンズ駆動装置８の可動ブロック１０が固定ブロック９に対してフォーカス方向へ動作され、対物レンズ１２を介して照射されるレーザー光のスポットがディスク状記録媒体１００の記録面に集光するようにフォーカス調整が行われる。
【００４７】
また、トラッキング用コイル１４、１４に駆動電流が供給されると、上記したように、対物レンズ駆動装置８の可動ブロック１０が固定ブロック９に対してトラッキング方向へ動作され、対物レンズ１２を介して照射されるレーザー光のスポットがディスク状記録媒体１００の記録トラック上に集光するようにトラッキング調整が行われる。
【００４８】
上記には、Ｎ極とＳ極の左右方向における長さＬが同じトラッキング用マグネット１８、１８を用い、境界線１８ａ、１８ａを対向するトラッキング用コイル１４、１４の各中心Ｍ、Ｍに対して左右へシフトさせた例を示したが、例えば、図５に示すように、Ｎ極とＳ極の左右方向における幅が異なるトラッキング用マグネット１８Ａ、１８Ａを用い、境界線１８ａ、１８ａを対向するトラッキング用コイル１４、１４の各中心Ｍ、Ｍに対して左右へシフトさせることも可能である。
【００４９】
トラッキング用マグネット１８Ａ、１８Ａは、例えば、左右方向における中央とトラッキング用コイル１４、１４の各中心Ｍ、Ｍとがトラッキング方向において一致されているが、Ｓ極の左右方向における長さＬａがＮ極の左右方向における長さＬｂより長くされ、境界線１８ａ、１８ａが、対向するトラッキング用コイル１４、１４の各中心Ｍ、Ｍに対して左右へシフトされている。このとき、図６に示すように、トラッキング用コイル１４、１４の外側部１４ａ、１４ａにおいてはそれぞれトラッキング方向を向く推力Ｆｅ、Ｆｅ′が発生し、トラッキング用コイル１４、１４の内側部１４ｂ、１４ｂにおいてはそれぞれタンジェンシャル方向を向く推力Ｆｆ、Ｆｆ′が発生するようにされている。推力Ｆｅ、Ｆｅ′は大きさ及び向きが同じであり、推力Ｆｆ、Ｆｆ′は大きさが同じで向きが反対とされる。従って、推力Ｆｆ、Ｆｆ′によってタンジェンシャル方向における推力の総和は０となり、可動ブロック１０に対するタンジェンシャル方向における不必要な力の付与が防止される。
【００５０】
トラッキング用磁気回路２０、２０には、それぞれＦｅ、Ｆｆの合力としての可動ブロック１０の重心Ｇに向く推力ＦとＦｅ′、Ｆｆ′の合力としての可動ブロック１０の重心Ｇから遠去かる向きの推力Ｆが発生する。
【００５１】
以上に記載した通り、ディスクドライブ装置１にあっては、可動ブロック１０の重心Ｇとトラッキング用磁気回路２０、２０をタンジェンシャル方向に離隔して位置させると共にトラッキング用磁気回路２０、２０にそれぞれ発生する推力Ｆ、Ｆ、・・・の方向を重心Ｇに向かう方向又は重心Ｇから遠去かる方向としているため、トラッキング用コイル１４、１４を挟んだ対物レンズ１２の反対側に重心Ｇをトラッキング用コイル１４、１４間に位置させるためのバランサーを設ける必要がなく、その分、可動ブロック１０の重量を小さくすることができ、また、可動ブロック１０の重心Ｇを支点とした回転方向における力が発生しない。
【００５２】
従って、トラッキング動作における感度の向上を図ることができると共に重心Ｇを支点とした回転方向における力に基づく不要な共振の発生の防止による良好なサーボ特性を確保することができる。
【００５３】
また、対物レンズ駆動装置８にあっては、対物レンズ１２の後方にのみトラッキング用磁気回路２０、２０が配置されているため、例えば、対物レンズを挟んでタンジェンシャル方向における両側にそれぞれトラッキング用磁気回路が配置された対物レンズ駆動装置のように、対物レンズを挟んだタンジェンシャル方向における両側の位置にトラッキング用磁気回路を構成するためのマグネットやヨーク等を配置する必要性による光学設計の自由度の低下や配置スペースの増大による光ピックアップの大型化を来たすことがなく、光学設計の自由度の向上及び小型化を図ることができる。
【００５４】
尚、上記には、可動ブロック１０のレンズホルダー１１にトラッキング用コイル１４、１４が取り付けられた所謂ムービングコイル型の対物レンズ駆動装置８を例として示したが、対物レンズ駆動装置として、レンズホルダーにトラッキング用マグネットが取り付けられた所謂ムービングマグネット型を用いることも可能である。
【００５５】
但し、上記のようにムービングコイル型の対物レンズ駆動装置８を用いることにより、ムービングマグネット型の対物レンズ駆動装置より可動ブロック１０が軽量となるため、トラッキング動作時における感度の向上を図ることができる。
【００５６】
さらに、トラッキング用コイル１４、１４の各中心Ｍ、Ｍに対してそれぞれトラッキング用マグネット１８、１８の境界線１８ａ、１８ａをトラッキング方向にシフトさせることによりトラッキング用磁気回路２０、２０に発生する推力Ｆ、Ｆ、・・・の方向を制御しているため、トラッキング用磁気回路２０、２０に発生する推力Ｆ、Ｆ、・・・の制御の容易化を図ることができると共に簡素な構成により感度の向上及び良好なサーボ特性の確保を図ることができる。
【００５７】
尚、上記には、トラッキング用磁気回路２０、２０に発生する推力Ｆ、Ｆ、・・・の方向を可動ブロック１０の重心Ｇに向かう方向又は重心Ｇから遠去かる方向とした対物レンズ駆動装置８を示したが、図７に示すように、フォーカス用磁気回路１９に発生する推力Ｐ、Ｐ、・・・の方向を可動ブロック１０の重心Ｇに向かう方向又は重心Ｇから遠去かる方向として、感度の向上及び良好なサーボ特性の確保を図ることも可能である。
【００５８】
また、図８に示すように、トラッキング用磁気回路２０、２０に発生する推力Ｆ、Ｆ、・・・の方向を可動ブロック１０の重心Ｇに向かう方向又は重心Ｇから遠去かる方向とするために、トラッキング用コイル１４、１４及びトラッキング用マグネット１８、１８をタンジェンシャル方向に対して傾斜させることも可能であるが、このようにトラッキング用コイル１４、１４及びトラッキング用マグネット１８、１８を傾斜させた場合には、可動ブロック１０がトラッキング方向へ動作されたときに、トラッキング用コイル１４、１４とトラッキング用マグネット１８、１８の間隔が左右で異なってしまう（図８に示す破線の状態）ため、トラッキング動作時の制御が複雑化するおそれがある。
【００５９】
しかしながら対物レンズ駆動装置８にあっては、トラッキング用コイル１４、１４及びトラッキング用マグネット１８、１８がタンジェンシャル方向に対して傾斜しないため、トラッキング動作時にトラッキング用コイル１４、１４とトラッキング用マグネット１８、１８の間隔が一定であり、トラッキング動作時の制御の容易化を図ることができる。
【００６０】
尚、上記には、トラッキング方向に離隔して設けられた二つのトラッキング用磁気回路２０、２０を有する対物レンズ駆動装置８を例として示したが、トラッキング用磁気回路２０の数は二つに限られることはなく、トラッキング方向に離隔して同数が設けられていれば任意の数とすることができる。
【００６１】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００６２】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６３】
【図１】図２乃至図８と共に本発明光ピックアップ及びディスクドライブ装置を実施するための最良の形態を示すものであり、本図はディスクドライブ装置の概略平面図である。
【図２】対物レンズ駆動装置の概略拡大平面図である。
【図３】トラッキング動作時に発生する推力と可動ブロックの重心との位置関係を示す概念図である。
【図４】トラッキング用磁気回路におけるトラッキング用コイルとトラッキング用マグネットの位置関係を示す概念図である。
【図５】トラッキング用磁気回路におけるトラッキング用コイルとトラッキング用マグネットの別の位置関係を示す概念図である。
【図６】トラッキング動作時に発生する推力と可動ブロックの重心との別の位置関係を示す概念図である。
【図７】フォーカス動作時に発生する推力と可動ブロックの重心との位置関係を示す概念図である。
【図８】トラッキング用コイルとトラッキング用マグネットがタンジェンシャル方向に対して傾斜されたときの問題点を示す概念図である。
【符号の説明】
【００６４】
１…ディスクドライブ装置、３…ディスクテーブル、６…光ピックアップ、７…移動ベース、８…対物レンズ駆動装置、９…固定ブロック、１０…可動ブロック、１１…レンズホルダー、１２…対物レンズ、１３…フォーカス用コイル、１４…トラッキング用コイル、１５…支持バネ、１７…フォーカス用マグネット、１８…トラッキング用マグネット、１８ａ…境界線、１９…フォーカス用磁気回路、２０…トラッキング用磁気回路、１００…ディスク状記録媒体
【図１】
2009076156.tif 000003
【図２】
2009076156.tif 000004
【図３】
2009076156.tif 000005
【図４】
2009076156.tif 000006
【図５】
2009076156.tif 000007
【図６】
2009076156.tif 000008
【図７】
2009076156.tif 000009
【図８】
2009076156.tif 000010